(57)【要約】      （修正有）【課題】照明機能、警報機能、ラジオを備えていて、夜間の地震等の災害発生時や避難時に有用な眼鏡立ての提供。【解決手段】つるを畳んだ眼鏡を収容する筒状本体と、筒状本体の下部に位置する台部、とを備えている眼鏡立てにおいて、台部に光源用の発光体６と電源用の電池１１を収納して点灯回路を構成し、この点灯回路をオンオフする照明用スイッチ４，５を設けて照明具として使用できるようにし、更に警報音発生器（小型スピーカ）２ｃとこの警報音発生器の動作をオンオフ制御する警報用スイッチ７，２ｄを設け、更にラジオ回路を構成する基板３を搭載した。従って、この考案のランプ付き眼鏡立ては非常時の簡易照明具として利用できるだけでなく、警報装置及びラジオとしても利用でき、夜間の災害に備えて懐中電灯などを別途用意しておく必要がなく、防災用機器あるいは介護用機器として大いに有用である。【選択図】図６
0003116026.tif 000002
【実用新案登録請求の範囲】
【請求項１】
つるを畳んだ眼鏡を収容する筒状本体と、この筒状本体の下部に位置する台部、とを備えており、台部に光源用の発光体と電源用の電池を収納して点灯回路を構成し、この点灯回路をオンオフ制御する照明用スイッチを設けて照明具としても使用できるようにしたものにおいて、警報音発生器とこの警報音発生器の動作をオンオフ制御する警報用スイッチを設けて警報装置としても使用できるように構成し、更にラジオ受信機の機能と時計の機能の少なくともいずれかを搭載したことを特徴とするランプ付き眼鏡立て。
【請求項２】
上記警報用スイッチとして、制御プラグの挿入でオフ、引き抜きでオンとなる構造のスイッチが用いられ、照明用スイッチとは無関係に警報音発生器の動作をオンオフ制御できるように構成されている請求項１記載のランプ付き眼鏡立て。
【請求項３】
上記ラジオ受信機は照明用スイッチとは無関係にその動作をオンオフ制御できるスイッチを備えている請求項１記載のランプ付き眼鏡立て。
【請求項４】
上記時計は電源電池を内蔵しており、眼鏡立てに対して着脱可能に構成されている請求項１記載のランプ付き眼鏡立て。
【請求項５】
上記時計が薄いカード型であり、筒状本体の保持部に挿入して保持されるように構成されている請求項４記載のランプ付き眼鏡立て。
【請求項６】
上記時計は電卓機能を備えており、前面に時計及び電卓の操作部と表示部が設けられている請求項５記載のランプ付き眼鏡立て。
【考案の詳細な説明】
【技術分野】
【０００１】
この考案は、照明具としての機能をも備えた眼鏡立ての改良に関するものである。
【背景技術】
【０００２】
眼鏡立ては、つるを畳んだ眼鏡を入れて立てて置いておくものであって、一般に眼鏡を収容する筒状本体と、この筒状本体の下部に位置する台部とで構成されており、就寝時には枕元に置かれるのが普通である。就寝中に大地震や火災が発生した際には、いち早く眼鏡を着用して次の行動を起こさなければならないため、停電などの場合に備えて懐中電灯も枕元に置いておく必要がある。なお、平成７年の兵庫県南部地震はまだ夜が明けない時刻に発生しており、まず眼鏡や照明具を探した被災者が多かったという調査結果が知られている。
【０００３】
本考案者はこの点に着目し、下記のように照明具としての機能を備えると共に警報装置としても使用できるようにした眼鏡立てを提案している。
【特許文献１】登録実用新案第３１０２０６７号公報
【考案の開示】
【考案が解決しようとする課題】
【０００４】
上記特許文献に記載された眼鏡立てを市場に提供したところ、更にラジオ機能の搭載と時計機能の搭載を求める声が多々あった。これは避難先での情報入手や娯楽などの手段としてはラジオが有効であることと、日時の確認などのためには時計が必要であることが大きな理由であると考えられる。また警報装置のスイッチは操作の容易なプッシュ式のものであったため、一旦警報装置を作動させてもすぐに止めることができて防犯機能が不十分であり、解決が求められた。この考案はこれらの問題点を解消した眼鏡立てを提供することを課題としてなされたものである。
【課題を解決するための手段】
【０００５】
上記の課題を達成するために、この考案のランプ付き眼鏡立ては、つるを畳んだ眼鏡を収容する筒状本体と、この筒状本体の下部に位置する台部、とを備えており、台部に光源用の発光体と電源用の電池を収納して点灯回路を構成し、この点灯回路をオンオフ制御する照明用スイッチを設けて照明具としても使用できるようにしたものにおいて、警報音発生器とこの警報音発生器の動作をオンオフ制御する警報用スイッチを設けて警報装置としても使用できるように構成し、更にラジオ受信機の機能と時計の機能の少なくともいずれかを搭載している。
【０００６】
上記の警報用スイッチとしては、制御プラグの挿入でオフ、引き抜きでオンとなる構造のスイッチが用いられ、照明用スイッチとは無関係に警報音発生器の動作をオンオフ制御できるように構成される。
【０００７】
上記のラジオ受信機は、照明用スイッチとは無関係にその動作をオンオフ制御できるスイッチを備えるように構成される。
【０００８】
上記時計は電源電池を内蔵しており、眼鏡立てに対して着脱可能に構成されている。またこの時計は薄いカード型とされ、筒状本体に形成された保持部に挿入して保持されるように構成される。更に時計には電卓機能が備えられ、その前面に時計及び電卓の操作部と表示部が設けられる。
【考案の効果】
【０００９】
この考案のランプ付き眼鏡立てによれば、夜間の災害に備えて懐中電灯を別途用意しておく必要がなくなるだけでなく、警報装置としての機能を利用することにより、防犯ブザーと同様な作用により自分の存在を知らせて救助を求めたり、人を呼んでいることを知らせたりすることができ、更にラジオ放送を聞いたり時刻を確認したりすることが容易となる。従って、市場の声に応えることができて、防災用機器あるいは介護用機器として大いに有用である。
【００１０】
また、制御プラグの挿入でオフ、引き抜きでオンとなる構造の警報用スイッチを用いたものでは、制御プラグを引き抜いてしまえば警報音の発生を止められないので防犯機能が向上する。なお、制御プラグの引き抜きにある程度の力を要するようにしておくことにより、幼児のいたずらで制御プラグが引き抜かれて警報装置が作動することが防止される。
【００１１】
また、照明用スイッチとは無関係にその動作をオンオフ制御できるラジオ用スイッチを備えたものでは、照明用スイッチとは関係なくラジオを聞くことができる。
【００１２】
また時計に電源電池を内蔵し、眼鏡立てに対して着脱可能に構成したものでは、必要に応じて取り外して単独の時計として使用することも可能であり、照明やラジオ用の電池交換の際に時刻の再設定をする必要がない。また時計を薄いカード型として筒状本体の保持部に挿入して保持されるようにしたものでは、場所を取らずに眼鏡立てと一体化することができる。更に時計に電卓機能を備えてその前面に時計及び電卓の操作部と表示部を設けたものでは、必要に応じて電卓として使用することができる。
【考案を実施するための最良の形態】
【００１３】
以下、この考案を実施した眼鏡立ての一例について説明する。図１は前面から見た斜視図、図２は底面図、図３は照明回路などを構成する第１の基板の部品配置を上から見た部品配置図、図４はラジオ回路を構成する第２の基板の部品配置を上から見た部品配置図、図５は時計部と保持部の形状を示す要部の断面図、図６は回路図である。
【実施例】
【００１４】
図において、１はこの考案の眼鏡立てであって、断面が長円形である筒状本体１ａと、この筒状本体１ａの下部に一体に形成されている台部１ｂから構成されている。筒状本体１ａの上面は開口し、底面は台部１ｂで塞がれており、台部１ｂの下面には図示しないビスによって底板１ｃが取り付けられている。１ｄはビス穴である。底板１ｃの中央部分は下面に蓋１ｅを備えた薄い箱状の電池ケース１ｆとなっており、電池ケース１ｆの上面とその周辺のスペースに回路部が収納されている。筒状本体１ａと台部１ｂ、底板１ｃ、蓋１ｅはそれぞれ例えばＡＢＳ樹脂などの硬質プラスチックの成形品で構成され、筒状本体１ａの内面と台部１ｂの上面は発泡ウレタンシートなどの柔軟な保護シートで覆われている。
【００１５】
電池ケース１ｆの上面には、図３に示す第１のプリント基板２と図４に示す第２のプリント基板３が２段に重ねて取り付けられている。プリント基板２は所要の回路パターンによって照明回路などを構成するもので、発振／増幅用ＩＣ２ａ、整合用トランス２ｂ、小型スピーカ２ｃ、連続ブザー音スイッチ２ｄ等が実装されている。小型スピーカ２ｃには厚みの小さい扁平な形状のものが使用され、これに対応して筒状本体１ａの底面には放音穴が適宜形成されている。また電池ケース１ｆの周辺には、照明用の自動スイッチである転倒スイッチ４、照明用の手動スイッチである電源スイッチ５、光源用の発光体である発光ダイオード６、警報用スイッチ７がそれぞれ取り付けられている。
【００１６】
図１に示すように、連続ブザー音スイッチ２ｄはその操作部２ｄ−１が台部１ｂの前面に形成された穴から若干突出するような状態で装着されており、操作部２ｄ−１を押すごとに押し込まれた状態と突出した状態が切り替わり、押し込まれた状態でオンとなり、突出した状態でオフとなる構造のものが使用されている。転倒スイッチ４は突出する方向に付勢されたアクチュエータ４ａを備えたものであって、アクチュエータ４ａを底板１ｃに形成された穴から下向きに突出する状態で装着されており、アクチュエータ４ａが底板１ｃから突出した状態でオンとなるような構造のものが使用されている。電源スイッチ５はその操作部５ａが底板１ｃの下面に露出する状態で装着されている。また発光ダイオード６は、その先端のレンズ部６ａが底板１ｃに形成された穴に位置し、且つ底板１ｃからは突出しない状態で装着されている。この発光ダイオード６としては例えば超高輝度白色発光ダイオードが使用されるが、明るさを増すために複数個の発光ダイオードを用いるようにしてもよい。
【００１７】
警報用スイッチ７には制御プラグの挿入でオフ、引き抜きでオンとなる構造のもの、すなわち防犯ブザーのスイッチと同様なものが用いられている。このスイッチ７は台部１ｂの側面の内部に配置され、制御プラグ７ａを台部１ｂの外部から抜き差しできるようにしてある。７ｂは制御プラグ７ａに設けられた引っ張り用リングである。
【００１８】
第２のプリント基板３は所要の回路パターンによってラジオの回路を構成するものであり、アンテナ３ａ、ラジオ用ＩＣ３ｂ、同調つまみ３ｃ、バンド切り換えスイッチ３ｄ、音量調整つまみ３ｅのほか、必要な回路部品が実装されている。同調つまみ３ｃと音量調整つまみ３ｅはその一部が台部１ｂの側面に露出し、またバンド切り換えスイッチ３ｄはその操作部３ｄ−１が台部１ｂの前面に露出して、それぞれ手で操作できるようになっている。
【００１９】
時計部８は薄くて縦長のカード型のものであって、図５に示すように側面に凹溝８ａが形成されており、筒状本体１ａの前面には保持部１ｇが形成されてその両側縁には凹溝８ａに対応して突条１ｈがそれぞれ設けられている。すなわち、時計部８は筒状本体１ａに対して着脱可能なユニットを構成しており、凹溝８ａと突条１ｈを組み合わせた状態で上から挿入することによって、筒状本体１ａの保持部１ｇに保持されるようになっている。またこの時計部８には電源電池が内蔵されており、筒状本体１ａから取り外して独立して使用できるようになっている。
【００２０】
時計部８の表面側には上部に液晶の表示部８ｂを、下部にテンキーなどを備えた電卓の操作部８ｃを設け、更に時計用の操作ボタン８ｄや時計選択ボタン８ｅ及び電卓選択ボタン８ｆを設けてある。すなわち、時計選択ボタン８ｅを押すと時計モードとなって表示部８ｂに時刻等が表示され、操作ボタン８ｄを操作することによって時刻合わせやアラーム設定などを行うことができる。また電卓選択ボタン８ｆを押すと電卓モードとなって表示部８ｂの全部または一部が電卓用の数値表示部となり、操作部８ｃのテンキーの操作によって所望の計算を行うことができる。この時計部８にはカレンダー機能と温度計機能も備えられており、その日の日付と現在時刻のほか、図１に示すようにその月のカレンダーや現在温度も表示されるようになっている。なお、時刻表示は図のようなデジタル式ではなくアナログ式とすることもできる。
【００２１】
以上の各構成部材は図６に示すように接続されて所要の回路を構成しており、図の右側が照明機能の回路部、左側が警報機能とラジオの回路部となっている。１１は電池ケース１ｆに収容される電池、１２は電流制限用の保護抵抗である。３ｆはラジオの電源スイッチであり、図ではプリント基板３とは分離して描いてあるが、実際は音量調整つまみ３ｅで操作される可変抵抗器と一体になった連動スイッチであり、プリント基板３に搭載されている。なお、電池１１としては例えば単４型の乾電池が使用されるが、眼鏡立て１のサイズによっては単３型など他の規格の電池を使用してもよい。また、時計部８は液晶の表示部８ｂのほか所用の時計機能及び電卓機能を備えたＩＣを有する制御回路部８ｇ、電源電池８ｈ等で構成されたもので、上記の照明やラジオ等の回路部とは独立した別個の回路となっている。電池８ｈには例えば小型のボタン型のものが使用される。
【００２２】
この実施例の眼鏡立て１は上述のような構成であり、電池１１をセットした状態で通常は電源スイッチ５をオンにし、連続ブザー音スイッチ２ｄをオフにして使用される。従って、台部１ｂを下にして正常な姿勢で立てた状態では、アクチュエータ４ａが押し込まれて転倒スイッチ４がオフとなるので発光ダイオード６は消灯しているが、眼鏡立て１が倒れたり持ち上げられたりしてアクチュエータ４ａが底板１ｃから突出すると、転倒スイッチ４がオンとなって発光ダイオード６が点灯する。
【００２３】
このため、就寝時に眼鏡立て１を枕元に立てて置くと、正常時には発光ダイオード６は点灯しないが、地震等で眼鏡立て１が倒れると発光ダイオード６が自動的に、且つ簡易照明用として十分な明るさで点灯するので、筒状本体１ａに入れてあった眼鏡を探すことができ、次の避難その他の必要な行動に移ることができる。また、必要に応じて眼鏡立て１を持ち上げても発光ダイオード６が自動的に点灯するので、夜間の簡易照明用としてそのまま利用できるのである。また、眼鏡立て１を持ち上げ、あるいは転倒させた状態では電源スイッチ５の操作に応じて発光ダイオード６がオンオフするので、簡易照明用として通常の懐中電灯に準じた使用が可能となる。なお、単４型や単３型の乾電池を使用した場合には、ボタン型電池と比較してかなりの重量があるので重りとしての機能が発揮され、眼鏡立て１の重心が低くなって立てた場合の安定性が向上する。昼間や自動点灯が必要ない時には電源スイッチ５をオフにしておけばよく、これにより眼鏡立て１が倒れても点灯しないので、電池１１の無用な消耗を防ぐことができる。
【００２４】
一方、連続ブザー音スイッチ２ｄをオンにすれば、発振／増幅用ＩＣ２ａ、整合用トランス２ｄ、小型スピーカ２ｃで構成されている警報機能の回路が動作して警報音が発生するが、この動作は転倒スイッチ４や電源スイッチ５の状態に関係なく行うことができる。ここで、単なる警報発生装置の場合には例えば就寝中の地震で家屋が倒壊した場合、警報発生装置の所在自体が判らなくなって警報音を発することができなくなるという可能性があるが、この実施例によれば眼鏡立て１が倒れると発光ダイオード６が自動的に点灯して眼鏡立て１の所在がすぐに判るので、付属する連続ブザー音スイッチ２ｄを操作することが容易となり、必要に応じて警報音を発して自分の存在を知らせることが確実に行えるのである。また救助を求める場合でなく、寝たきりの人が誰かを呼ぶような場合でも、警報音を発して呼んでいることを容易に知らせることができる。
【００２５】
更に、警報用スイッチ７が連続ブザー音スイッチ２ｄと並列に接続されているので、引っ張り用リング７ｂを引っ張って制御プラグ７ａを引き抜けば警報用スイッチ７がオンとなり、連続ブザー音スイッチ２ｄがオフであっても上記と同様に警報音を発生させることができる。連続ブザー音スイッチ２ｄはその操作部２ｄ−１の操作で容易に警報音を停止できるが、警報用スイッチ７の場合は制御プラグ７ａを再び挿入しないと警報音を停止できないので、犯罪に遭遇した場合のように警報音を発し続ける必要のある非常時の警報用として優れた効果が期待できる。
【００２６】
また、ラジオ用のプリント基板３は電池１１に常に接続されているので、音量調整つまみ３ｅを回してラジオの電源スイッチ３ｆをオンにすることにより、バンド切り換えスイッチ３ｄによる選択バンドと同調つまみ３ｃによる選局に応じたラジオ放送を聞くことができ、ラジオによる情報入手や娯楽が可能となる。
【００２７】
また、時計部８で時刻確認などの時計としての利用ができるほか、電卓としての利用も可能であり、薄いカード型となっていて筒状本体１ａに保持されるので、場所を取らずに眼鏡立て１と一体化することができる。また他の機能の回路とは独立したユニットとなっているので、照明やラジオ用の電池１１の交換の際に時刻の再設定をする必要はなく、必要に応じて筒状本体１ａから取り外して単独の時計として旅行などに携行することも可能である。
【図面の簡単な説明】
【００２８】
【図１】この考案の一実施例の前面から見た斜視図である。
【図２】同実施例の底面図である。
【図３】同実施例における第１の基板を上から見た部品配置図である。
【図４】同実施例における第２の基板を上から見た部品配置図である。
【図５】同実施例の時計部と保持部の形状を示す要部の断面図である。
【図６】同実施例の回路図である。
【符号の説明】
【００２９】
１  眼鏡立て
１ａ  筒状本体
１ｂ  台部
１ｃ  底板
１ｆ  電池ケース
１ｇ  保持部
１ｈ  突条
２  第１のプリント基板
２ｃ  小型スピーカ
３  第２のプリント基板
４  転倒スイッチ
５  電源スイッチ
６  発光ダイオード（光源用発光体）
７  警報用スイッチ
７ａ  制御プラグ
７ｂ  引っ張り用リング
８  時計部
８ａ  凹溝
８ｂ  表示部
８ｃ  操作部
８ｇ  制御回路部
８ｈ  電池
１１  電池
【図１】
0003116026.tif 000003
【図２】
0003116026.tif 000004
【図３】
0003116026.tif 000005
【図４】
0003116026.tif 000006
【図５】
0003116026.tif 000007
【図６】
0003116026.tif 000008